(57)【要約】 【課題】同じ映像信号を正極性フィールドと負極性フィールドとから成る偶数フィールド単位で液晶パネルに供給する駆動方式において、ＤＣバランスを維持しつつ、動画を表示する際の画質を改善する。【解決手段】各フレームからそれぞれ分割したＮ個ずつの正極性フィールド，負極性フィールドの映像信号の輝度と、２Ｎフィールド前の映像信号の輝度とに応じて、正極性フィールド，負極性フィールドについて同じ補正量を付加した補正映像信号を生成する補正映像信号生成手段４を備え、正極性フィールドでは、この補正映像信号を正極性で液晶パネル７に供給し、負極性フィールドでは、この補正映像信号を負極性で液晶パネル７に供給する。【選択図】図３
2008116564.tif 000002
【特許請求の範囲】
【請求項１】
入力する映像信号のフレームレートを２Ｎ倍（Ｎは１以上の整数）にして、各フレームをそれぞれＮ個ずつの正極性フィールドと負極性フィールドとに分割し、前記正極性フィールドでは映像信号を正極性で液晶パネルに供給し、前記負極性フィールドでは映像信号を負極性で前記液晶パネルに供給する液晶用駆動装置において、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて同じ補正量を付加した補正映像信号を生成する補正映像信号生成手段
を備え、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する
ことを特徴とする液晶用駆動装置。
【請求項２】
請求項１に記載の液晶用駆動装置において、
前記液晶パネルの温度を検出する検出手段
をさらに備え、
前記補正映像信号生成手段は、前記検出手段によって検出された温度が高くなるにつれて前記補正量を少なくするように前記補正映像信号を生成する
ことを特徴とする液晶用駆動装置。
【請求項３】
入力する映像信号のフレームレートを２Ｎ倍（Ｎは１以上の整数）にして、各フレームをそれぞれＮ個ずつの正極性フィールドと負極性フィールドとに分割し、前記正極性フィールドでは映像信号を正極性で液晶パネルに供給し、前記負極性フィールドでは映像信号を負極性で前記液晶パネルに供給する液晶用駆動方法において、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて同じ補正量を付加した補正映像信号を生成する第１のステップと、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する第２のステップと
を有することを特徴とする液晶用駆動方法。
【請求項４】
請求項３に記載の液晶用駆動方法において、
前記液晶パネルの温度を検出するステップ
をさらに有し、
前記第１のステップでは、前記検出手段によって検出された温度が高くなるにつれて前記補正量を少なくするように前記補正映像信号を生成する
ことを特徴とする液晶用駆動方法。
【請求項５】
液晶パネルと、
入力する映像信号のフレームレートを２Ｎ倍（Ｎは１以上の整数）にして、各フレームをそれぞれＮ個ずつの正極性フィールドと負極性フィールドとに分割し、前記正極性フィールドでは映像信号を正極性で前記液晶パネルに供給し、前記負極性フィールドでは映像信号を負極性で前記液晶パネルに供給する駆動回路と
を設けた液晶表示装置において、
前記駆動回路は、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて同じ補正量を付加した補正映像信号を生成する補正映像信号生成手段
を備え、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する
ことを特徴とする液晶表示装置。
【請求項６】
請求項５に記載の液晶表示装置において、
前記液晶パネルの温度を検出する検出手段
をさらに備え、
前記補正映像信号生成手段は、前記検出手段によって検出された温度が高くなるにつれて前記補正量を少なくするように前記補正映像信号を生成する
ことを特徴とする液晶表示装置。
【請求項７】
入力する映像信号のフレームレートを２Ｎ倍（Ｎは２以上の整数）にして、各フレームをそれぞれＮ個ずつの正極性フィールドと負極性フィールドとに分割し、前記正極性フィールドでは映像信号を正極性で液晶パネルに供給し、前記負極性フィールドでは映像信号を負極性で前記液晶パネルに供給する液晶用駆動装置において、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて補正映像信号を生成する手段であって、該正極性フィールド，負極性フィールドのうち前記液晶パネルに最初に映像信号を供給するフィールドについては前記Ｎ個のうちの先頭の１個のフィールドのみに所定の補正量を付加するとともに、該正極性フィールド，負極性フィールドのうち前記液晶パネルに最初に映像信号を供給しないフィールドについては、前記所定の補正量を２個以上のフィールドに分散して付加する補正映像信号生成手段
を備え、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する
ことを特徴とする液晶用駆動装置。
【請求項８】
請求項７に記載の液晶用駆動装置において、
前記液晶パネルの温度を検出する検出手段
をさらに備え、
前記補正映像信号生成手段は、前記検出手段によって検出された温度が高くなるにつれて前記補正量を少なくするように前記補正映像信号を生成する
ことを特徴とする液晶用駆動装置。
【請求項９】
入力する映像信号のフレームレートを２Ｎ倍（Ｎは２以上の整数）にして、各フレームをそれぞれＮ個ずつの正極性フィールドと負極性フィールドとに分割し、前記正極性フィールドでは映像信号を正極性で液晶パネルに供給し、前記負極性フィールドでは映像信号を負極性で前記液晶パネルに供給する液晶用駆動方法において、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて補正映像信号を生成するステップであって、該正極性フィールド，負極性フィールドのうち前記液晶パネルに最初に映像信号を供給するフィールドについては前記Ｎ個のうちの先頭の１個のフィールドのみに所定の補正量を付加するとともに、該正極性フィールド，負極性フィールドのうち前記液晶パネルに最初に映像信号を供給しないフィールドについては、前記所定の補正量を２個以上のフィールドに分散して付加する第１のステップと、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する第２のステップと
を有することを特徴とする液晶用駆動方法。
【請求項１０】
請求項９に記載の液晶用駆動方法において、
前記液晶パネルの温度を検出するステップ
をさらに有し、
前記第１のステップでは、前記検出手段によって検出された温度が高くなるにつれて前記補正量を少なくするように前記補正映像信号を生成する
ことを特徴とする液晶用駆動方法。
【請求項１１】
液晶パネルと、
入力する映像信号のフレームレートを２Ｎ倍（Ｎは２以上の整数）にして、各フレームをそれぞれＮ個ずつの正極性フィールドと負極性フィールドとに分割し、前記正極性フィールドでは映像信号を正極性で前記液晶パネルに供給し、前記負極性フィールドでは映像信号を負極性で前記液晶パネルに供給する駆動回路と
を設けた液晶表示装置において、
前記駆動回路は、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて補正映像信号を生成する手段であって、該正極性フィールド，負極性フィールドのうち前記液晶パネルに最初に映像信号を供給するフィールドについては前記Ｎ個のうちの先頭の１個のフィールドのみに所定の補正量を付加するとともに、該正極性フィールド，負極性フィールドのうち前記液晶パネルに最初に映像信号を供給しないフィールドについては、前記所定の補正量を２個以上のフィールドに分散して付加する補正映像信号生成手段
を備え、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する
ことを特徴とする液晶表示装置。
【請求項１２】
請求項１１に記載の液晶表示装置において、
前記液晶パネルの温度を検出する検出手段
をさらに備え、
前記補正映像信号生成手段は、前記検出手段によって検出された温度が高くなるにつれて前記補正量を少なくするように前記補正映像信号を生成する
ことを特徴とする液晶表示装置。
【発明の詳細な説明】
【技術分野】
【０００１】
本発明は、同じ映像信号を正極性フィールドと負極性フィールドとから成る偶数フィールド単位で液晶パネルに供給する液晶用駆動装置，液晶用駆動方法や、そうした液晶用駆動装置，液晶用駆動方法を採用した液晶表示装置において、動画を表示する際の画質の改善を図ったものに関する。
【背景技術】
【０００２】
近年、アクティブマトリクス型の液晶パネルは高解像度化・高輝度化の進展が著しく、それに伴い、パーソナルコンピュータや携帯情報端末（携帯電話等）用の表示デバイスとしてだけでなく、動画表示を主目的とするテレビジョン受像機用の表示デバイスとしても液晶パネルが使用されている。また、パーソナルコンピュータや携帯情報端末も、近年は動画コンテンツを受信して表示するという目的で使用される機会が増えている。
【０００３】
アクティブマトリクス型の液晶パネルでは、画素電極を形成した駆動基板（例えばシリコン基板）と、透明な対向電極を形成したガラス基板と間に液晶材料が封入されており、画素電極に映像信号を書き込む（映像信号の輝度に応じた電圧を印加する）ことにより、画素電極と対向電極との電位差に応じて液晶材料での光の透過率が変化するので、入射光が変調されて映像が表示される。
【０００４】
液晶パネルには、動きの速い（輝度の変化の激しい）動画を表示する際に、応答速度の遅さ（液晶材料の透過率の応答の遅さ）に起因して、残像などの画像劣化が発生するという問題がある。そこで、従来から、液晶パネルの応答速度は駆動電圧の変化が大きいほど速くなるという特性を利用して、１フレーム前の映像信号の輝度と現在のフレームの映像信号の輝度との差分を求め、この差分に応じた輝度の補正量を現在のフレームの映像信号の輝度に加減算して液晶パネルに供給することにより、目標とする輝度への到達時間を短縮することが提案されている（特許文献１）。
【０００５】
【特許文献１】特開２００２−１８９４５８号公報
【発明の開示】
【発明が解決しようとする課題】
【０００６】
ところで、上記特許文献１に記載の技術は、各フレームの映像信号を同じ極性で液晶パネルに供給する駆動方式を前提とするものであるが、アクティブマトリクス型の液晶パネルの駆動方式としては、液晶パネルに印加する電圧のＤＣバランスを保つことによって液晶パネルの劣化を抑制する目的で、同じ映像信号を正極性フィールドと負極性フィールドとから成る偶数フィールド単位で液晶パネルに供給するという駆動方式も存在する。
【０００７】
この駆動方式では、入力映像信号のフレームレートを２Ｎ倍（Ｎは１以上の整数）にする倍速化処理を施して、各フレームをそれぞれＮ個ずつの正極性フィールドと負極性フィールドとに分割する。そして、正極性フィールドでは、映像信号を、対向電極の電圧に対して正極性で液晶パネルに供給して、画素電極に書き込ませる。他方、負極性フィールドでは、映像信号を、対向電極の電圧に対して負極性で液晶パネルに供給して、画素電極に書き込ませる。
【０００８】
図１は、Ｎ＝１とした場合のこの倍速化処理を示しており、入力した各フレームＡ，Ｂ，Ｃ，Ｄ，…の映像信号が、それぞれ２つずつのフィールドＡ１及びＡ２，Ｂ１及びＢ２，Ｃ１及びＣ２，Ｄ１及びＤ２，…の映像信号として出力される。（図１では倍速化処理による遅延時間を無視して描いているが、実際には遅倍速化処理によって数フィールド分の遅延が発生する。）この場合には、図２（ａ）に例示するように、前半のフィールドＡ１，Ｂ１，Ｃ１，Ｄ１，…を正極性フィールドとして映像信号を正極性で液晶パネルに供給し、後半のフィールドＡ２，Ｂ２，Ｃ２，Ｄ２，…を負極性フィールドとして映像信号を負極性で液晶パネルに供給する（逆に、前半のフィールドを負極性フィールドとし、後半のフィールドを正極性フィールドとしてもよい）。
【０００９】
このような駆動方式においても、図２（ｂ）に液晶パネルの応答を示すように、輝度の変化が激しいフレームＣでは、１フレーム内に目標とする輝度に到達せず、残像などの画像劣化が発生する。
【００１０】
本発明は、このように液晶パネルに印加する電圧のＤＣバランスを保つために同じ映像信号を正極性フィールドと負極性フィールドとから成る偶数フィールド単位で液晶パネルに供給する駆動方式を採用した場合に、ＤＣバランスを維持しつつ、動画を表示する際の画質を改善することを課題とする。
【課題を解決するための手段】
【００１１】
この課題を解決するために、本発明に係る第１の液晶用駆動装置は、
入力する映像信号のフレームレートを２Ｎ倍（Ｎは１以上の整数）にして、各フレームをそれぞれＮ個ずつの正極性フィールドと負極性フィールドとに分割し、前記正極性フィールドでは映像信号を正極性で液晶パネルに供給し、前記負極性フィールドでは映像信号を負極性で前記液晶パネルに供給する液晶用駆動装置において、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて同じ補正量を付加した補正映像信号を生成する補正映像信号生成手段
を備え、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する
ことを特徴とする。
【００１２】
また、本発明に係る第１の液晶用駆動方法は、
入力する映像信号のフレームレートを２Ｎ倍（Ｎは１以上の整数）にして、各フレームをそれぞれＮ個ずつの正極性フィールドと負極性フィールドとに分割し、前記正極性フィールドでは映像信号を正極性で液晶パネルに供給し、前記負極性フィールドでは映像信号を負極性で前記液晶パネルに供給する液晶用駆動方法において、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて同じ補正量を付加した補正映像信号を生成する第１のステップと、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する第２のステップと
を有することを特徴とする。
【００１３】
また、本発明に係る第１の液晶表示装置は、
液晶パネルと、
入力する映像信号のフレームレートを２Ｎ倍（Ｎは１以上の整数）にして、各フレームをそれぞれＮ個ずつの正極性フィールドと負極性フィールドとに分割し、前記正極性フィールドでは映像信号を正極性で前記液晶パネルに供給し、前記負極性フィールドでは映像信号を負極性で前記液晶パネルに供給する駆動回路と
を設けた液晶表示装置において、
前記駆動回路は、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて同じ補正量を付加した補正映像信号を生成する補正映像信号生成手段
を備え、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する
ことを特徴とする。
【００１４】
これらの発明では、液晶パネルに印加する電圧のＤＣバランスを保つために同じ映像信号を正極性フィールドと負極性フィールドとから成る偶数フィールド単位で液晶パネルに供給する駆動方式において、各フレームから分割した正極性フィールド，負極性フィールドの映像信号の輝度と、２Ｎフィールド前の映像信号の輝度とに応じて、正極性フィールド，負極性フィールドについて同じ補正量を付加した補正映像信号が生成される。そして、正極性フィールドではこの補正映像信号が正極性で液晶パネルに供給され、負極性フィールドではこの補正映像信号が負極性で液晶パネルに供給される。
【００１５】
このような補正量を付加した補正映像信号が正極性フィールドと負極性フィールドとで互いに極性を反転して液晶パネルに供給されることにより、目標とする輝度への到達時間が短縮し、動画を表示する際の画質が改善する。さらに、正極性フィールドと負極性フィールドとで同じ補正量が付加されるので、液晶パネルに印加する電圧のＤＣバランスが維持される。これにより、ＤＣバランスを維持することによって液晶パネルの劣化を抑制しつつ、動画を表示する際の画質を改善することができる。
【００１６】
次に、本発明に係る第２の液晶用駆動装置は、
入力する映像信号のフレームレートを２Ｎ倍（Ｎは２以上の整数）にして、各フレームをそれぞれＮ個ずつの正極性フィールドと負極性フィールドとに分割し、前記正極性フィールドでは映像信号を正極性で液晶パネルに供給し、前記負極性フィールドでは映像信号を負極性で前記液晶パネルに供給する液晶用駆動装置において、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて補正映像信号を生成する手段であって、該正極性フィールド，負極性フィールドのうち前記液晶パネルに最初に映像信号を供給するフィールドについては前記Ｎ個のうちの先頭の１個のフィールドのみに所定の補正量を付加するとともに、該正極性フィールド，負極性フィールドのうち前記液晶パネルに最初に映像信号を供給しないフィールドについては、前記所定の補正量を２個以上のフィールドに分散して付加する補正映像信号生成手段
を備え、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する
ことを特徴とする。
【００１７】
また、本発明に係る第２の液晶用駆動方法は、
入力する映像信号のフレームレートを２Ｎ倍（Ｎは２以上の整数）にして、各フレームをそれぞれＮ個ずつの正極性フィールドと負極性フィールドとに分割し、前記正極性フィールドでは映像信号を正極性で液晶パネルに供給し、前記負極性フィールドでは映像信号を負極性で前記液晶パネルに供給する液晶用駆動方法において、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて補正映像信号を生成するステップであって、該正極性フィールド，負極性フィールドのうち前記液晶パネルに最初に映像信号を供給するフィールドについては前記Ｎ個のうちの先頭の１個のフィールドのみに所定の補正量を付加するとともに、該正極性フィールド，負極性フィールドのうち前記液晶パネルに最初に映像信号を供給しないフィールドについては、前記所定の補正量を２個以上のフィールドに分散して付加する第１のステップと、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する第２のステップと
を有することを特徴とする。
【００１８】
また、本発明に係る第２の液晶表示装置は、
液晶パネルと、
入力する映像信号のフレームレートを２Ｎ倍（Ｎは２以上の整数）にして、各フレームをそれぞれＮ個ずつの正極性フィールドと負極性フィールドとに分割し、前記正極性フィールドでは映像信号を正極性で前記液晶パネルに供給し、前記負極性フィールドでは映像信号を負極性で前記液晶パネルに供給する駆動回路と
を設けた液晶表示装置において、
前記駆動回路は、
各フレームからそれぞれ分割した前記Ｎ個ずつの正極性フィールド，負極性フィールドの映像信号の輝度と、該正極性フィールド，負極性フィールドよりもそれぞれ２Ｎフィールド前の映像信号の輝度とに応じて、該正極性フィールド，負極性フィールドについて補正映像信号を生成する手段であって、該正極性フィールド，負極性フィールドのうち前記液晶パネルに最初に映像信号を供給するフィールドについては前記Ｎ個のうちの先頭の１個のフィールドのみに所定の補正量を付加するとともに、該正極性フィールド，負極性フィールドのうち前記液晶パネルに最初に映像信号を供給しないフィールドについては、前記所定の補正量を２個以上のフィールドに分散して付加する補正映像信号生成手段
を備え、
前記正極性フィールドでは、前記補正映像信号生成手段によって生成された前記補正映像信号を正極性で前記液晶パネルに供給し、前記負極性フィールドでは、前記補正映像信号生成手段によって生成された前記補正映像信号を負極性で前記液晶パネルに供給する
ことを特徴とする。
【００１９】
これらの発明では、液晶パネルに印加する電圧のＤＣバランスを保つために同じ映像信号を正極性フィールドと負極性フィールドとから成る偶数フィールド単位で液晶パネルに
供給する駆動方式において、各フレームから分割した正極性フィールド，負極性フィールドの映像信号の輝度と、それぞれ２Ｎフィールド前の映像信号の輝度とに応じて、正極性フィールド，負極性フィールドのうち液晶パネルに最初に映像信号を供給するフィールドについてはＮ個（ここでは２個以上）のうちの先頭の１個のフィールドのみに所定の補正量を付加した補正映像信号が生成され、正極性フィールド，負極性フィールドのうち液晶パネルに最初に映像信号を供給しないフィールドについては、この所定の補正量を２個以上のフィールドに分散して付加した補正映像信号が生成される。そして、正極性フィールドではこの補正映像信号が正極性で液晶パネルに供給され、負極性フィールドではこの補正映像信号が負極性で液晶パネルに供給される。
【００２０】
このような、正極性フィールド，負極性フィールドのうち液晶パネルに最初に映像信号を供給するフィールドのうちの先頭の１個のフィールドのみに他のフィールドと比較して大きな補正量を付加した補正映像信号が液晶パネルに供給されることにより、目標とする輝度への到達時間が一層短縮し、動画を表示する際の画質が一層改善する。さらに、正極性フィールド，負極性フィールドのうち液晶パネルに最初に映像信号を供給しないフィールドについては同じ補正量が２個以上のフィールドに分散して付加されるので、１つのフレームを分割したＮ（２以上）個ずつの正極性フィールド，負極性フィールドをそれぞれ全体としてみれば、液晶パネルに印加する電圧のＤＣバランスが維持される。これにより、ＤＣバランスを維持することによって液晶パネルの劣化を抑制しつつ、動画を表示する際の画質を一層改善することができる。
【発明の効果】
【００２１】
本発明によれば、液晶パネルに印加する電圧のＤＣバランスを保つことによって液晶パネルの劣化を抑制する目的で、同じ映像信号を正極性フィールドと負極性フィールドとから成る偶数フィールド単位で液晶パネルに供給する駆動方式を採用した場合に、ＤＣバランスを維持することによって液晶パネルの劣化を抑制しつつ、目標とする輝度への到達時間を短縮して、動画を表示する際の画質を改善することができるという効果が得られる。
【００２２】
また特に、本発明に係る第２の液晶用駆動装置、液晶用駆動方法，液晶表示装置によれば、ＤＣバランスを維持することによって液晶パネルの劣化を抑制しつつ、目標とする輝度への到達時間を一層短縮して、動画を表示する際の画質を一層改善することができるという効果が得られる。
【発明を実施するための最良の形態】
【００２３】
〔本発明を適用した第１の液晶表示装置の例〕
以下、本発明を図面を用いて具体的に説明する。最初に、本発明に係る第１の液晶用駆動装置、液晶用駆動方法，液晶表示装置を適用した液晶表示装置について説明する。図３は、この液晶表示装置の主要部の構成例を示すブロック図である。液晶表示装置に入力した映像信号（例えば、映像入力端子から入力した映像信号や、テレビジョン受像機の場合には選局・復調等の処理を経た映像信号や、パーソナルコンピュータや携帯情報端末の場合にはネットワーク経由でダウンロードして復号した映像信号）が、アナログ信号の場合にはＡ／Ｄ変換器１でデジタル信号に変換されて駆動回路部２に供給され、デジタル信号の場合にはそのまま駆動回路部２に供給される。
【００２４】
駆動回路部２は、倍速化処理回路３，補正映像信号生成回路４及び反転駆動回路５を含んでいる。倍速化処理回路３は、図１に示したような、入力映像信号のフレームレートを２倍にする倍速化処理を施す回路である。駆動回路部２に供給された映像信号は、倍速化処理回路３でこの倍速化処理を施された後、補正映像信号生成回路４に送られる。
【００２５】
図４は、補正映像信号生成回路４の構成を示すブロック図である。補正映像信号生成回路４には、２つのフレームメモリ１１及び１２と、マイクロコンピュータ１３と、ＲＯＭから成る前半フィールド用補正テーブル１４−１〜１４−１０，後半フィールド用補正テーブル１５−１〜１５−１０と、直線補間演算回路１６と、加減算回路１７とが設けられている。
【００２６】
倍速化処理回路３（図３）から補正映像信号生成回路４に送られた各フィールドの映像信号は、直接マイクロコンピュータ１３及び加減算回路１７に送られるとともに、１フィールド期間毎にフレームメモリ１１への書込み→フレームメモリ１１からの読出し及びフレームメモリ１２への書込み→フレームメモリ１２からの読出しを行われてマイクロコンピュータ１３に送られる。図４には、図１に示したフィールドＡ１，Ａ２，Ｂ１，Ｂ２，Ｃ１，Ｃ２，Ｄ１，Ｄ２，…のうち、現在のフィールドＢ１の映像信号が直接マイクロコンピュータ１３に送られるとともに、２フィールド前のフィールドＡ１の映像信号がフレームメモリ１２から読み出されてマイクロコンピュータ１３に送られた状態を示している。次のフィールド期間では、フィールドＢ２の映像信号が直接マイクロコンピュータ１３に送られるとともに、フィールドＡ２の映像信号がフレームメモリ１２から読み出されてマイクロコンピュータ１３に送られる。
【００２７】
また、図３に示すように、この液晶表示装置には液晶パネル７の温度を検出する温度検出部８（例えば、液晶パネル７の近傍に配置した温度センサ、あるいは液晶パネル７内部に設けたダイオードの温度特性に基づいて温度を算出する回路）が設けられており、この温度検出部８で検出された温度を示すデータがマイクロコンピュータ１３に送られる。
【００２８】
前半フィールド用補正テーブル１４−１〜１４−１０，後半フィールド用補正テーブル１５−１〜１５−１０は、それぞれ、現在のフィールドの映像信号の輝度階調と、２Ｎ（ここではＮ＝１）フィールド前の映像信号の輝度階調と、輝度の補正量とを対応させたテーブルである。図５（ａ）は、１個のテーブルの内容を例示した図である。０，１０２４，２０４８，３０７２，４０９５という５段階の輝度階調から成る５×５のマトリックスに対応させて、輝度の補正量が記憶されている。
【００２９】
図５（ｂ）に示すように、テーブル１４−１〜１４−１０，テーブル１５−１〜１５−１０は、それぞれ１０段階の温度０℃〜９０℃に対応したテーブルである。すなわち、テーブル１４−１及び１５−１は、温度０℃に対応したテーブルであり、テーブル１４−２及び１５−２は、温度１０℃に対応したテーブルであり、テーブル１４−３及び１５−３は、温度２０℃に対応したテーブルであり、…テーブル１４−１０及び１５−１０は、温度９０℃に対応したテーブルである。
【００３０】
液晶材料は温度が高いほど応答速度が速くなる特性を有していることから、これらのテーブルは、高い温度に対応するものほど図５（ａ）に示した輝度の補正量の絶対値が低くなっている。また、テーブル１４−１〜１４−１０とテーブル１５−１〜１５−１０とのうち、同じ温度に対応したテーブル同士（テーブル１４−１とテーブル１５−１、テーブル１４−２とテーブル１５−２、テーブル１４−３テーブル１５−３、…テーブル１４−１０とテーブル１５−１０）では、輝度の補正量が同じになっている。
【００３１】
マイクロコンピュータ１３は、１フィールド期間毎に，倍速化処理回路３から直接送られた現在のフィールドの映像信号の輝度階調と、フレームメモリ１２から送られた２フィールド前の映像信号の輝度階調とを求める。そして、求めた輝度階調をインデックスとして、前半のフィールド（図１のＡ１，Ｂ１，Ｃ１，Ｄ１，…  ）の映像信号が送られたフィールド期間では、前半フィールド用補正テーブル１４−１〜１４−１０のうち、温度検出部８で検出された温度に対応するテーブルから補正量のデータを読み出し、後半のフィールド（図１のＡ２，Ｂ２，Ｃ２，Ｄ２，…  ）の映像信号が送られたフィールド期間では、後半フィールド用補正テーブル１５−１〜１５−１０のうち、温度検出部８で検出された温度に対応するテーブルから補正量のデータを読み出す。
【００３２】
なお、求めた輝度階調が、ちょうど図５（ａ）に示したような０，１０２４，２０４８，３０７２，４０９５ではなく、それらの中間の値である場合には、０，１０２４，２０４８，３０７２，４０９５のうちその値を挟む２組の輝度階調をインデックスとして、２つの補正量を読み出す。例えば、求めた現在のフィールド，２フィールド前の輝度階調がそれぞれ５１２，０であり、且つ、図５（ａ）に示したような補正量のテーブルから読出しを行う場合には、０，０と１０２４，０という２組をインデックスとして、０と３００という２つの補正量のデータを読み出す。
【００３３】
また、温度検出部８（図３）で検出された温度が、ちょうど０℃，１０℃，２０℃，…９０℃ではなくそれらの中間の値である場合には、その値を挟む温度に対応する２つのテーブルからそれぞれ補正量のデータを読み出す。例えば、前半のフィールドの映像信号が送られたフィールド期間において、検出された温度が２５℃であった場合には、テーブル１４−３及び１４−４から補正量のデータを読み出す。ただし、検出された温度が０℃未満であった場合や９０℃を超えていた場合には、それぞれ０℃，９０℃に対応する１つのテーブルのみから補正量のデータを読み出す（別の例として、このように０℃，９０℃という温度の下限や上限を外れた場合には、テーブルからの読出しを行わないようにしてもよい）。
【００３４】
テーブル１４−１〜１４−１０または１５−１〜１５−１０から読み出された補正量のデータは、直線補間演算回路１６に送られる。また、マイクロコンピュータ１３によって求められた現在のフィールド，２フィールド前の輝度階調のデータと、温度検出部８で検出された温度を示すデータも、マイクロコンピュータ１３から直線補間演算回路１６に送られる。
【００３５】
直線補間演算回路１６は、同じテーブルから２つの補正量のデータが送られた場合には、マイクロコンピュータ１３からの現在のフィールド，２フィールド前の輝度階調のデータを用いて、それらの２つの補正量のデータを直線補間する。例えば、前述のように、現在のフィールド，２フィールド前の輝度階調がそれぞれ５１２，０であり、且つ、図５（ａ）に示したような補正量のテーブルから読み出された０と３００という２つの補正量のデータが送られた場合には、この０と３００とを０×｛（１０２４−５１２）／１０２４｝＋３００×｛（５１２−０）／１０２４｝と直線補間した補正量１５０を求める。そして、その直線補間した補正量のデータを出力する。
【００３６】
また、直線補間演算回路１６は、２つのテーブルからそれぞれ補正量のデータが送られた場合には、温度検出部８からの温度を示すデータを用いて、それらの２つの補正量のデータを直線補間する。そして、その直線補間した補正量のデータを出力する。
【００３７】
また、直線補間演算回路１６は、１つの補正量のデータのみが送られた場合には、その補正量のデータをそのまま出力する。
【００３８】
直線補間演算回路１６から出力された補正量のデータは、加減算回路１７に送られる。加減算回路１７は、倍速化処理回路３からの現在のフィールドの映像信号に、直線補間演算回路１６からの補正量のデータを加減算（補正量が正である場合には加算、補正量が負である場合に減算）することにより、補正映像信号を生成する。
【００３９】
この補正映像信号は、補正映像信号生成回路４から、図３の反転駆動回路５に送られる。反転駆動回路５は、この補正映像信号を、前半のフィールド（図１のＡ１，Ｂ１，Ｃ１，Ｄ１，…  ）を正極性フィールドとして液晶パネル７内の対向電極（図示略）の電圧に対して正極性にし、後半のフィールド（図１のＡ２，Ｂ２，Ｃ２，Ｄ２，…  ）を負極性フィールドとしてこの対向電極の電圧に対して負極性にするというように、１フィールド毎に極性を反転させる（逆に、前半のフィールドを負極性フィールドとし、後半のフィールドを正極性フィールドとしてもよい）。
【００４０】
反転駆動回路５の処理を経た補正映像信号は、駆動回路部２からＤ／Ａ変換器６に送られてアナログ信号に変換された後、液晶パネル７内の水平駆動回路（図示略）に供給される。(液晶パネル７がデジタル映像信号を入力して画素電極に書込みを行う機能を有している場合には、駆動回路部２から直接液晶パネル７に補正映像信号を供給してよい。)また、図示は省略するが、この液晶表示装置内のタイミングジェネレータから、水平走査，垂直走査のタイミングを制御するクロックパルスが、液晶パネル７内の水平駆動回路，垂直駆動回路（図示略）に供給される。これにより、補正映像信号が液晶パネル７内の画素電極（図示略）に書き込まれる。
【００４１】
図６（ａ）は、この第１の液晶表示装置にいて液晶パネル７に供給される補正映像信号を例示する図である。この例では、フレームＢからフレームＣにかけて輝度が激しく変化しているので、前述した補正映像信号生成回路４の処理により、フィールドＣ１の映像信号とフィールドＣ２の映像信号とに同じ補正量αを付加した補正映像信号が、前半のフィールドＡ１，Ｂ１，Ｃ１，Ｄ１，…では正極性で液晶パネル７に供給され、後半のフィールドＡ２，Ｂ２，Ｃ２，Ｄ２，…では負極性で液晶パネル７に供給されている。
【００４２】
図６（ｂ）は、図６（ａ）の補正映像信号が供給された場合の液晶パネル７の応答を、フィールドＣ１，Ｃ２の映像信号に補正量を付加しなかったとした場合の応答（破線部分）とともに示す図である。補正量を付加しなかったとした場合には、フレームＣの期間内に目標とする輝度に到達せず、残像などの画像劣化が発生する。これに対し、フィールドＣ１及びＣ２に補正量が付加されたことにより、目標とする輝度への到達時間が短縮し、フレームＣの期間内に目標とする輝度に到達するので、画質を改善することができる。
【００４３】
さらに、フィールドＣ１とフィールドＣ２というような正極性フィールドと負極性フィールドとで映像信号に同じ補正量が付加されるので、液晶パネル７に印加する電圧のＤＣバランスが維持される。これにより、ＤＣバランスを維持することによって液晶パネル７の劣化を抑制しつつ、目標とする輝度への到達時間を短縮して、動画を表示する際の画質を改善することができる。
【００４４】
また、液晶材料は温度が高いほど応答速度が速くなるという特性に基づき、１０段階の温度０℃〜９０℃に対応したテーブルを設け、液晶パネル７の現在の温度に対応したテーブルから読み出した補正量を付加するので、目標とする輝度への到達時間を適切に短縮させることができる。
【００４５】
なお、以上に説明した補正テーブルの階調の取り方や補正テーブルと温度との対応関係はあくまで一例であり、許容される回路規模や液晶パネル７の特性によって適宜変更してよい。
【００４６】
また、以上の例では、前半フィールド用テーブル１４−１〜１４−１０と後半フィールド用テーブル１５−１〜１５−１０とで、同じ温度に対応した補正量を全く同じにしているが、別の例として、液晶パネル７に印加する電圧のＤＣバランスを損なわない範囲で、前半フィールド用テーブル１４−１〜１４−１０と後半フィールド用テーブル１５−１〜１５−１０とで、同じ温度に対応した補正量を僅かに異ならせる（例えば、液晶材料の応答速度を高めるために、先に液晶パネル７に映像信号が供給されるフィールドである前半フィールド用のテーブル１４−１〜１４−１０の補正量のほうを僅かに多くする）ようにしてもよい。
【００４７】
あるいはまた、以上の例におけるように前半フィールドと後半フィールドとで同じ温度に対応した補正量を全く同じにする場合には、テーブル１４−１〜１４−１０とテーブル１５−１〜１５−１０とのうちの一方のみを設け、そのテーブルを前半フィールド用と後半フィールド用とに兼用するようにしてもよい。
【００４８】
また、以上の例では、前半フィールド用，後半フィールド用にそれぞれ１セットずつのテーブル１４−１〜１４−１０，テーブル１５−１〜１５−１０を設けているが、別の例として、前半フィールド用，後半フィールド用にそれぞれＲＧＢの映像信号毎の３セットずつのテーブルを設けるようにしてもよい。それにより、ＲＧＢの映像信号毎に補正量を異ならせることができるので、液晶パネル７の応答特性がＲＧＢで同じではない場合（例えば、表示画像で緑色が強くなりすぎることを防ぐためにＧについての印加電圧をＲよりも低くする関係でＧについての応答速度がＲよりも遅くなるような場合）でも、ＲＧＢでの応答速度を同じに揃えることができるようになる。
【００４９】
また、以上の例では、入力映像信号のフレームレートを２倍にする倍速化処理を施しているが、入力映像信号のフレームレートを２Ｎ倍（ここではＮは２以上の整数）にする倍速化処理を施してもよい。その場合には、図４に示した補正映像信号生成回路４内のフレームメモリの数を２Ｎ個に増やし、２Ｎフィールド前の映像信号がフレームメモリからマイクロコンピュータ１３に送られるようにすればよい。
【００５０】
〔本発明を適用した第２の液晶表示装置の例〕
次に、本発明に係る第２の液晶用駆動装置、液晶用駆動方法，液晶表示装置を適用した液晶表示装置について説明する。図７は、この液晶表示装置の主要部の構成例を示すブロック図であり、図３の液晶表示装置と同一構成及び同一処理の部分には同一の符号を付して重複説明を省略する。
【００５１】
この液晶表示装置では、駆動回路部２１内の倍速化処理回路２２，補正映像信号生成回路２３及び反転駆動回路部２４の構成または処理が、図３の駆動回路部２内の倍速化処理回路３，補正映像信号生成回路４及び反転駆動回路５とは異なっている。
【００５２】
図８は、倍速化処理回路２２が実行する倍速化処理を示す。倍速化処理回路２２は、入力映像信号のフレームレートを４倍にすることにより、入力した各フレームＡ，Ｂ，Ｃ，Ｄ，…の映像信号を、それぞれ４つずつのフィールド（前半，後半のフィールドが各２つ）Ａ１〜Ａ４，Ｂ１〜Ｂ４，Ｃ１〜Ｃ４，Ｄ１〜Ｄ４，…の映像信号として出力する。（図８では倍速化処理による遅延時間を無視して描いているが、実際には遅倍速化処理によって数フィールド分の遅延が発生する。）
【００５３】
図９は、補正映像信号生成回路２３の構成を示すブロック図であり、図４の補正映像信号生成回路４と同一構成及び同一処理の部分には同一の符号を付して重複説明を省略する。
補正映像信号生成回路２３では、４つのフレームメモリ３１〜３４が設けられるとともに、図４の前半フィールド用補正テーブル１４−１〜１４−１０，後半フィールド用補正テーブル１５−１〜１５−１０とは異なる前半フィールド用補正テーブル３５−１〜３５−１０，後半フィールド用補正テーブル３６−１〜３６−１０が設けられている。また、マイクロコンピュータ３７の処理が、図３のマイクロコンピュータ１３とは異なっている。
【００５４】
倍速化処理回路２２（図７）から補正映像信号生成回路２３に送られた各フィールドの映像信号は、直接マイクロコンピュータ１３及び加減算回路１７に送られるとともに、１フィールド期間毎にフレームメモリ３１への書込み→フレームメモリ３１からの読出し及びフレームメモリ３２への書込み→フレームメモリ３２からの読出し及びフレームメモリ３３への書込み→フレームメモリ３３からの読出し及びフレームメモリ３４への書込み→フレームメモリ３４からの読出しを行われてマイクロコンピュータ３７に送られる。図９には、図８に示したフィールドＡ１，Ａ２，Ａ３，Ａ４，Ｂ１，Ｂ２，Ｂ３，Ｂ４，Ｃ１，Ｃ２，Ｃ３，Ｃ４，Ｄ１，Ｄ２，Ｄ３，Ｄ４，…のうち、現在のフィールドＢ１の映像信号が直接マイクロコンピュータ１３に送られるとともに、４フィールド前のフィールドＡ１の映像信号がフレームメモリ３４から読み出されてマイクロコンピュータ１３に送られた状態を示している。
【００５５】
前半フィールド用補正テーブル３５−１〜３５−１０，後半フィールド用補正テーブル３６−１〜３６−１０は、それぞれ図４のテーブル１４−１〜１４−１０，テーブル１５−１〜１５−１０と同様に１０段階の温度０℃〜９０℃に対応したテーブルである。しかし、前半フィールド用補正テーブル１４−１〜１４−１０と後半フィールド用補正テーブル１５−１〜１５−１０とのうち、同じ温度に対応したテーブル同士では、前半フィールド用補正テーブルの輝度の補正量が、後半フィールド用補正テーブルの２倍になっている。
【００５６】
図１０（ａ），（ｂ）は、前半フィールド用補正テーブル３５−１〜３５−１０，後半フィールド用補正テーブル３６−１〜３６−１０のうち、同じ温度に対応したテーブルの内容をそれぞれ例示する図である。０，１０２４，２０４８，３０７２，４０９５という５段階の輝度階調から成る５×５のマトリックスの全てに対応する輝度の補正量が、前半フィールド用補正テーブルでは、後半フィールド用補正テーブルの２倍になっている。
【００５７】
マイクロコンピュータ３７は、前半のフィールドのうちの先頭のフィールド（図８のＡ１，Ｂ１，Ｃ１，Ｄ１，…  ）の映像信号が送られたフィールド期間と、後半のフィールドの各フィールド（図８のＡ３及びＡ４，Ｂ３及びＢ４，Ｃ３及びＣ４，Ｄ３及びＤ４，…  ）の映像信号が送られたフィールド期間とでは、倍速化処理回路２２から直接送られた現在のフィールドの映像信号の輝度階調と、フレームメモリ３４から送られた４フィールド前の映像信号の輝度階調とを求める。そして、求めた輝度階調をインデックスとして、前半のフィールドのうちの先頭のフィールドの映像信号が送られたフィールド期間では、前半フィールド用補正テーブル３５−１〜３５−１０のうち、温度検出部８で検出された温度に対応するテーブルから補正量のデータを読み出し、後半のフィールドの映像信号が送られたフィールド期間では、後半フィールド用補正テーブル３６−１〜３６−１０のうち、温度検出部８で検出された温度に対応するテーブルから補正量のデータを読み出す。
【００５８】
しかし、前半のフィールドのうちの２番目のフィールド（図８のＡ２，Ｂ２，Ｃ２，Ｄ２，…  ）の映像信号が送られたフィールド期間では、マイクロコンピュータ３７は、映像信号の輝度階調を求めず、前半フィールド用補正テーブル３５−１〜３５−１０からの読出しも行わない（あるいは、映像信号の輝度階調は求めるが、前半フィールド用補正テーブル３５−１〜３５−１０からの読出しは行わない）。
【００５９】
図７の反転駆動回路部２４は、補正映像信号生成回路２３からの補正映像信号を、前半のフィールド（図１のＡ１及びＡ２，Ｂ１及びＢ２，Ｃ１及びＣ２，Ｄ１及びＤ２，…  ）を正極性フィールドとして液晶パネル７内の対向電極の電圧に対して正極性にし、後半のフィールド（図１のＡ３及びＡ４，Ｂ３及びＢ４，Ｃ３及びＣ４，Ｄ３及びＤ４，…  ）を負極性フィールドとしてこの対向電極の電圧に対して負極性にするというように、１フィールド毎に極性を反転させる（逆に、前半のフィールドを負極性フィールドとし、後半のフィールドを正極性フィールドとしてもよい）。
【００６０】
図１１は、この第２の液晶表示装置にいて液晶パネル７に供給される補正映像信号を例示する図である。この例では、フレームＢからフレームＣにかけて輝度が激しく変化しているので、前述した補正映像信号生成回路２３の処理により、フィールドＣ１の映像信号に補正量２βを付加するとともにフィールドＣ３及びＣ４にそれぞれその２分の１の補正量βを付加した補正映像信号が、前半のフィールドＡ１及びＡ２，Ｂ１及びＢ２，Ｃ１及びＣ２，Ｄ１及びＤ２，…では正極性で液晶パネル７に供給され、後半のフィールドＡ３及びＡ４，Ｂ３及びＢ４，Ｃ３及びＣ４，Ｄ３及びＤ４，…では負極性で液晶パネル７に供給されている。
【００６１】
このような、正極性フィールド，負極性フィールドのうち液晶パネルに最初に映像信号を供給するフィールド（ここでは前半フィールドである正極性フィールド）のうちの先頭の１個のフィールドのみに他のフィールドと比較して大きな補正量を付加した補正映像信号が液晶パネル７に供給されることにより、目標とする輝度への到達時間が一層短縮し、動画を表示する際の画質が一層改善する。さらに、正極性フィールド，負極性フィールドのうち液晶パネルに最初に映像信号を供給しないフィールド（ここでは後半フィールドである負極性フィールド）については、正極性フィールドのうちの先頭の１個のフィールドに付加した補正量と同じ補正量が全てのフィールドに分散して（２分の１ずつ）付加されるので、１つのフレームを分割した２個ずつの正極性フィールド，負極性フィールドをそれぞれ全体としてみれば、液晶パネル７に印加する電圧のＤＣバランスが維持される。これにより、ＤＣバランスを維持することによって液晶パネル７の劣化を抑制しつつ、動画を表示する際の画質を一層改善することができる。
【００６２】
なお、この例においても、前半フィールド用補正テーブル３５−１〜３５−１０，後半フィールド用補正テーブル３６−１〜３６−１０のうち同じ温度に対応したテーブル同士の補正量の比率を、液晶パネル７に印加する電圧のＤＣバランスを損なわない範囲で、２倍とは僅かに異ならせる（例えば２倍よりも僅かに大きくする）ようにしてもよい。
【００６３】
また、この例においても、入力映像信号のフレームレートを２Ｎ倍（ここではＮは３以上の整数）にする倍速化処理を施してもよい。その場合には、図９に示した補正映像信号生成回路２３内のフレームメモリの数を２Ｎ個に増やし、２Ｎフィールド前の映像信号がフレームメモリからマイクロコンピュータ３７に送られるようにすればよい。
【００６４】
また、この例においても、第１の液晶表示装置について述べたのと同様にして、前半フィールド用，後半フィールド用にそれぞれＲＧＢの映像信号毎の３セットずつのテーブルを設けるようにしてもよい。
【図面の簡単な説明】
【００６５】
【図１】映像信号の倍速化処理を例示する図である。
【図２】倍速化処理を施されて極性を反転された映像信号と、液晶パネルの応答とを例示する図である。
【図３】本発明を適用した第１の液晶表示装置の構成例を示すブロック図である。
【図４】図３の補正映像信号生成回路の構成を示すブロック図である。
【図５】図４の補正テーブルの内容の例と、各補正テーブルと温度との対応関係とを示す図である。
【図６】第１の液晶表示装置における補正映像信号と液晶パネルの応答とを例示する図である。
【図７】本発明を適用した第２の液晶表示装置の構成例を示すブロック図である。
【図８】図７の倍速化処理回路の倍速化処理を示す図である。
【図９】図７の補正映像信号生成回路の構成を示すブロック図である。
【図１０】図９の補正テーブルの内容を例示する図である。
【図１１】第２の液晶表示装置における補正映像信号を例示する図である。
【符号の説明】
【００６６】
２  駆動回路部、  ３  倍速化処理回路、  ４  補正映像信号生成回路、  ５  反転駆動回路、  ７  液晶パネル、  ８  温度検出部、  １１，１２  フレームメモリ、  １３  マイクロコンピュータ、  １４−１〜１４−１０  前半フィールド用補正テーブル、  １５−１〜１５−１０  後半フィールド用補正テーブル、  １６  直線補間演算回路、  １７  加減算回路、  ２１  駆動回路部、  ２２  倍速化処理回路、  ２３  補正映像信号生成回路、  ２４  反転駆動回路、  ３１〜３４  フレームメモリ、  ３５−１〜３５−１０  前半フィールド用補正テーブル、  ３６−１〜３６−１０  後半フィールド用補正テーブル、  ３７  マイクロコンピュータ
【図１】
2008116564.tif 000003
【図２】
2008116564.tif 000004
【図３】
2008116564.tif 000005
【図４】
2008116564.tif 000006
【図５】
2008116564.tif 000007
【図６】
2008116564.tif 000008
【図７】
2008116564.tif 000009
【図８】
2008116564.tif 000010
【図９】
2008116564.tif 000011
【図１０】
2008116564.tif 000012
【図１１】
2008116564.tif 000013